(57)【特許請求の範囲】
【請求項１】
光源からの光を反射する反射面及び／又は光源からの光を透過する透過面を有し、前記反射面及び／又は前記透過面からの光によってアザミウマ目又はカメムシ目の生物を誘引する生物誘引システムであって、
前記生物の複眼内の紫外線光受容器の分光感度Ｓｕｖ（λ）と、緑色光受容器の分光感度Ｓｇ（λ）と、青色光受容器の分光感度Ｓｂ（λ）と、前記反射面及び／又は前記透過面からの光の分光分布φ(λ）とから以下の式（１）乃至式（５）で算出される、第１の評価値ｇと第２の評価値ｂの関係が、式（６）乃至式（８）のいずれかを満たすことを特徴とする生物誘引システム。
Ｏｕｖ＝∫ｖｉｓＳｕｖ（λ）φ（λ）ｄλ （１）
Ｏｇ  ＝∫ｖｉｓＳｇ  （λ）φ（λ）ｄλ （２）
Ｏｂ  ＝∫ｖｉｓＳｂ  （λ）φ（λ）ｄλ （３）
ｇ＝Ｏｇ／（Ｏｕｖ＋Ｏｇ＋Ｏｂ）   （４）
ｂ＝Ｏｂ／（Ｏｕｖ＋Ｏｇ＋Ｏｂ）   （５）
ｂ≦−０．１８５ｇ＋０．２１３ （６） 
ｂ≦−０．３４６ｇ＋０．３０７ （７）
ｂ≧  １．１２５ｇ−０．４９３ （８）
（但し、式（１）乃至式（３）において、ｖｉｓはそれぞれＳｕｖ（λ）＞０，Ｓｇ（λ）＞０，Ｓｂ  （λ）＞０となる波長範囲）
【請求項２】
光源からの光を反射する反射面及び／又は光源からの光を透過する透過面を有し、前記反射面及び／又は前記透過面からの光によってハエ目の生物を誘引する生物誘引システムであって、
前記生物の複眼内の紫外線光受容器の分光感度Ｓｕｖ（λ）と、緑色光受容器の分光感度Ｓｇ（λ）と、青色光受容器の分光感度Ｓｂ（λ）と、前記反射面及び／又は前記透過面からの光の分光分布φ(λ）とから以下の式（１）乃至式（５）で算出される、第１の評価値ｇと第２の評価値ｂの関係が、式（９）乃至式（１３）の全てを満たすことを特徴とする生物誘引システム。
Ｏｕｖ＝∫ｖｉｓＳｕｖ（λ）φ（λ）ｄλ （１）
Ｏｇ  ＝∫ｖｉｓＳｇ  （λ）φ（λ）ｄλ （２）
Ｏｂ  ＝∫ｖｉｓＳｂ  （λ）φ（λ）ｄλ （３）
ｇ＝Ｏｇ／（Ｏｕｖ＋Ｏｇ＋Ｏｂ）   （４）
ｂ＝Ｏｂ／（Ｏｕｖ＋Ｏｇ＋Ｏｂ）   （５）
ｂ≦−０．９１６２ｇ＋０．８１０９ （９）
ｂ≦  ０．２７３６ｇ＋０．２２５７ （１０）
ｂ≦  ０．１９９６ｇ＋０．２５８２ （１１）
ｂ≦  １．１９８８ｇ−０．１３４０ （１２）
ｂ≧  ０．２９３４ｇ＋０．１７５８ （１３）
（但し、式（１）乃至式（３）において、ｖｉｓはそれぞれＳｕｖ（λ）＞０，Ｓｇ（λ）＞０，Ｓｂ  （λ）＞０となる波長範囲）
【請求項３】
前記光源が人工光源であることを特徴とする請求項１又は請求項２に記載の生物誘引システム。
【請求項４】
前記反射面及び／又は前記透過面が、前記光源と共に照明器具を構成することを特徴とする請求項１乃至請求項３のいずれかに記載の生物誘引システム。
【請求項５】
前記反射面及び／又は前記透過面からの光によって誘引された生物を捕獲するために、前記反射面及び／又は前記透過面が粘着性を有することを特徴とする請求項１乃至請求項４のいずれかに記載の生物誘引システム。
【請求項６】
請求項１乃至請求項５のいずれかに記載の生物誘引システムを用いて行う生物誘引方法。
【発明の詳細な説明】
【技術分野】
【０００１】
本発明は、反射面及び／又は透過面からの光によってアザミウマ目、カメムシ目、又はハエ目の生物を誘引する生物誘引システム及びこれを用いて行う生物誘引方法に関するものである。
【背景技術】
【０００２】
従来から、所定の分光分布を有する光が、ある種の昆虫に対して誘引性を示すことが知られており、捕虫用粘着シート等に応用されている。例えば、特許文献１に記載される害虫防除材は、色調が青色から黄色であることを特徴としている。また、特許文献２には、金色系色調を基調とした虫取りシートが記載されており、特許文献３には、蛍光黄色板よりなる農業用害虫防除資材が記載されている。
【０００３】
これら特許文献１乃至特許文献３では、人間の色の見え方に基づいた顕色系の表色系で表現した各色に対し、それぞれの昆虫に対する誘引性を実験等により測定して、その結果に基づいて最適な色（以下、誘引色ともいう）を定義している。
【０００４】
また、例えば、特許文献４においては、昆虫の誘引に効果的な色を分光反射率で定義しており、波長３８０ｎｍで５〜３０％の反射率、波長５００〜５２０ｎｍで６０％以上の最大反射率を示すと共に、波長２８０〜７００ｎｍの範囲の平均反射率が４０％以上である場合に、誘引効果が得られるとしている。
【特許文献１】特開２００３−９５８２４号公報
【特許文献２】特開２０００−４８号公報
【特許文献３】特開平９−１３５号公報
【特許文献４】特開平８−５１９０９号公報
【発明の開示】
【発明が解決しようとする課題】
【０００５】
ところで、人間と昆虫では色覚系の特性が異なる。例えば、人間の可視光領域は３８０〜７８０ｎｍであるのに対し、昆虫の可視光領域は、その種類にもよるが、およそ３００〜７００ｎｍであることが多い。このため、人間の表色系では異なる色であるとされる分光分布を有する２つの光が、昆虫は同じ色として感じている可能性がある。逆に、昆虫は異なると感じる分光分布を有する２つの光を、人間の表色系では同じ色として表現してしまう可能性がある。
【０００６】
以上のような理由により、人間の表色系で表現した各色について、その誘引性を評価した結果に基づく特許文献１乃至特許文献３の誘引色は、必ずしも昆虫の誘引色を適切に定義しているとは言えず、最適でない可能性がある。
【０００７】
また、特許文献４に記載される害虫防除材は、市販品の捕虫用粘着シートより誘引性の高い分光反射率を、各波長領域の反射率の範囲を規定することで定義している。分光反射特性の組合せは無数にあるため、全ての分光反射特性について誘引性を調べることは困難である。特許文献４でも、２つの実施例について市販品に対する優位性を示しているが、他の様々な分光反射特性と比較して最適であることは示されていない。以上のように、従来例で定義されている色すなわち分光反射特性は、いずれも昆虫を誘引する上で最適な特性ではない可能性があった。
【０００８】
本発明は、かかる点に鑑みてなされたものであり、誘引対象となる生物の色覚に則した分光分布を有する光を利用することにより誘引効果の高い生物誘引システムを提供することを目的とする。
【課題を解決するための手段】
【０００９】
上記目的を達成するために請求項１の発明は、光源からの光を反射する反射面及び／又は光源からの光を透過する透過面を有し、前記反射面及び／又は前記透過面からの光によってアザミウマ目又はカメムシ目の生物を誘引する生物誘引システムであって、前記生物の複眼内の紫外線光受容器の分光感度Ｓｕｖ（λ）と、緑色光受容器の分光感度Ｓｇ（λ）と、青色光受容器の分光感度Ｓｂ（λ）と、前記反射面及び／又は前記透過面からの光の分光分布φ(λ）とから以下の式（１）乃至式（５）で算出される、第１の評価値ｇと第２の評価値ｂの関係が、式（６）乃至式（８）のいずれかを満たすことを特徴とする生物誘引システム。
Ｏｕｖ＝∫ｖｉｓＳｕｖ（λ）φ（λ）ｄλ （１）
Ｏｇ  ＝∫ｖｉｓＳｇ  （λ）φ（λ）ｄλ （２）
Ｏｂ  ＝∫ｖｉｓＳｂ  （λ）φ（λ）ｄλ （３）
ｇ＝Ｏｇ／（Ｏｕｖ＋Ｏｇ＋Ｏｂ）   （４）
ｂ＝Ｏｂ／（Ｏｕｖ＋Ｏｇ＋Ｏｂ）   （５）
ｂ≦−０．１８５ｇ＋０．２１３ （６）
ｂ≦−０．３４６ｇ＋０．３０７ （７）
ｂ≧  １．１２５ｇ−０．４９３ （８）
（但し、式（１）乃至式（３）において、ｖｉｓはそれぞれＳｕｖ（λ）＞０，Ｓｇ（λ）＞０，Ｓｂ  （λ）＞０となる波長範囲）
【００１０】
ここで、複眼内の光受容器とは、複眼内の個眼を構成する視細胞を指し、光を吸収し、光のエネルギーを生体情報に変換する感覚受容細胞をいう。また、光受容器の分光感度とは、各波長の光に対する光受容器の反応のしやすさをいい、厳密には、各波長の光が光受容器に一定の基準反応を生じさせるために必要なエネルギー量の逆数である。光受容器はその分光感度の違いから３種類に分類できるが、そのうち最も短波長側に分光感度のピークを持つものを紫外線光受容器、次に短波長側に分光感度のピークを持つものを青色光受容器、最も長波長側に分光感度のピークを持つものを緑色光受容器と呼び、それぞれの分光感度をＳｕｖ（λ）、Ｓｂ（λ）、Ｓｇ（λ）と表記する。
【００１１】
また、光の分光分布φ(λ）とは、個々の波長に関する、単位波長当たりの放射量と波長との関係であり、各波長のエネルギーが、それぞれどの程度、光に含まれているかを表したものをいう。
【００１２】
請求項２の発明は、光源からの光を反射する反射面及び／又は光源からの光を透過する透過面を有し、前記反射面及び／又は前記透過面からの光によってハエ目の生物を誘引する生物誘引システムであって、前記生物の複眼内の紫外線光受容器の分光感度Ｓｕｖ（λ）と、緑色光受容器の分光感度Ｓｇ（λ）と、青色光受容器の分光感度Ｓｂ（λ）と、前記反射面及び／又は前記透過面からの光の分光分布φ(λ）とから以下の式（１）乃至式（５）で算出される、第１の評価値ｇと第２の評価値ｂの関係が、式（９）乃至式（１３）の全てを満たすことを特徴とする生物誘引システム。
Ｏｕｖ＝∫ｖｉｓＳｕｖ（λ）φ（λ）ｄλ （１）
Ｏｇ  ＝∫ｖｉｓＳｇ  （λ）φ（λ）ｄλ （２）
Ｏｂ  ＝∫ｖｉｓＳｂ  （λ）φ（λ）ｄλ （３）
ｇ＝Ｏｇ／（Ｏｕｖ＋Ｏｇ＋Ｏｂ）   （４）
ｂ＝Ｏｂ／（Ｏｕｖ＋Ｏｇ＋Ｏｂ）   （５）
ｂ≦−０．９１６２ｇ＋０．８１０９ （９）
ｂ≦  ０．２７３６ｇ＋０．２２５７ （１０）
ｂ≦  ０．１９９６ｇ＋０．２５８２ （１１）
ｂ≦  １．１９８８ｇ−０．１３４０ （１２）
ｂ≧  ０．２９３４ｇ＋０．１７５８ （１３）
（但し、式（１）乃至式（３）において、ｖｉｓはそれぞれＳｕｖ（λ）＞０，Ｓｇ（λ）＞０，Ｓｂ  （λ）＞０となる波長範囲）
【００１３】
請求項３の発明は、請求項１又は請求項２に記載の生物誘引システムにおいて、前記光源が人工光源であることを特徴とする。
【００１４】
請求項４の発明は、請求項１乃至請求項３のいずれかに記載の生物誘引システムにおいて、前記反射面及び／又は前記透過面が、前記光源と共に照明器具を構成することを特徴とする。
【００１５】
請求項５の発明は、請求項１乃至請求項４のいずれかに記載の生物誘引システムにおいて、前記反射面及び／又は前記透過面からの光によって誘引された生物を捕獲するために、前記反射面及び／又は前記透過面が粘着性を有することを特徴とする。
【００１６】
請求項６の発明は、請求項１乃至請求項５のいずれかに記載の生物誘引システムを用いて行う生物誘引方法である。
【発明の効果】
【００１７】
請求項１に記載の生物誘引システムによれば、反射面及び／又は透過面からの光を、誘引対象であるアザミウマ目又はカメムシ目の生物の複眼内の光受容器の分光感度に基づいて算出された第１の評価値ｇ及び第２の評価値ｂで評価するようにしたので、反射面及び／又は透過面からの光の分光分布を、アザミウマ目又はカメムシ目の生物の色覚に則して制御することができ、高い誘引効果が得られるように最適化することができる。このため、人間とアザミウマ目又はカメムシ目との色覚の相違によらず、アザミウマ目又はカメムシ目の生物に対して高い誘引効果が得られる光を確実に得ることができる。
【００１８】
請求項２に記載の生物誘引システムによれば、反射面及び／又は透過面からの光を、誘引対象であるハエ目の生物の複眼内の光受容器の分光感度に基づいて算出された第１の評価値ｇ及び第２の評価値ｂで評価するようにしたので、反射面及び／又は透過面からの光の分光分布を、ハエ目の生物の色覚に則して制御することができ、高い誘引効果が得られるように最適化することができる。このため、人間とハエ目との色覚の相違によらず、ハエ目の生物に対して高い誘引効果が得られる光を確実に得ることができる。
【００１９】
請求項３に記載の生物誘引システムによれば、光源が人工光源であるので、夜間や水中のような自然光源を利用しにくい環境であっても、アザミウマ目、カメムシ目又はハエ目の誘引を効率よく行うことができる。
【００２０】
請求項４に記載の生物誘引システムによれば、反射面及び／又は透過面が、光源と共に照明器具を構成するので、システムの小型化を図ることができる。
【００２１】
請求項５に記載の生物誘引システムによれば、反射面及び／又は透過面が粘着性を有するので、誘引した生物を確実に捕獲することができる。
【００２２】
請求項６に記載の生物誘引方法によれば、反射面及び／又は透過面からの光の分光分布を、アザミウマ目、カメムシ目、又はハエ目の色覚に則して制御することができ、高い誘引効果が得られるように最適化することができるので、アザミウマ目、カメムシ目、又はハエ目の生物の誘引を効率よく行うことができる。
【発明を実施するための最良の形態】
【００２３】
以下、本発明の第１の実施形態に係る生物誘引システムについて図１乃至図７を参照して説明する。本実施形態の生物誘引システムは、アザミウマ目又はカメムシ目の生物を誘引するための捕虫用照明器具１０であり、人工光源となる紫外線ランプ１１と、紫外線ランプ１１に対向するように配置された反射板１２とを備えている。図２に示されるように、反射板１２は、アクリル樹脂等により形成された基材１３と、基材１３の表面にアルミニウム等を蒸着することにより形成された反射膜１４と、反射膜１４の表面に積層された紫外線透過フィルム等からなる透過膜１５とを備えている。本実施形態において、透過膜１５の表面が反射面１に相当する。ただし厳密には、紫外線ランプ１１から出射された光Ｒ１は、透過膜１５の表面を透過して反射膜１４で反射され、さらに透過膜１５の表面を透過してから捕虫用照明器具１０の外部に出射される。
【００２４】
本実施形態では、誘引対象となるアザミウマ目又はカメムシ目の生物の色覚メカニズムを考慮して、反射面１からの光Ｒ２の分光分布を、アザミウマ目又はカメムシ目の生物に対して高い誘引効果が得られるように最適化する。なお、誘引対象となるカメムシ目としては、例えば、キジラミ上科、アブラムシ上科、アブラムシ科、カサアブラムシ科、ネアブラムシ科、及びコナジラミ上科を例示することができ、誘引対象となるアザミウマ目には、これに属する全ての科が含まれる。
【００２５】
反射面１からの光Ｒ２の分光分布は、紫外線ランプ１１の分光分布と反射面１である透過膜１５の表面の分光反射率により決定される。ただし厳密には、反射面１である透過膜１５の表面の分光反射率は、反射膜１４の分光反射率と透過膜１５の分光透過率の積となるが、分光反射率測定時には、反射膜１４と透過膜１５は一体不可分となるので、この状態で測定された分光反射率を用いて構わない。例えば、図３に示される分光分布を有する紫外線ランプ１１と、図４に示される分光反射率を有する反射板１２を用いた場合、反射面１からの光Ｒ２は、図５に示される分光分布を有することになる。なお、光源は、放電灯や自然光源のように一定の分布を有するものに限られず、単一の波長から構成されるものであっても構わない。
【００２６】
本実施形態で誘引対象とするアザミウマ目又はカメムシ目の生物は、複眼内に、紫外線光受容器、青色光受容器、及び緑色光受容器を備えており、これら３つの光受光器は、図６に例示されるような分光感度Ｓｕｖ（λ），Ｓｇ（λ），Ｓｂ（λ）をそれぞれ有している。同図は、３つの分光感度Ｓｕｖ（λ），Ｓｇ（λ），Ｓｂ（λ）について、それぞれの波長範囲が２５０〜４５０ｎｍ、３００〜６５０ｎｍ、３００〜５５０ｎｍ、それぞれの波長のピークが３５５ｎｍ、５２５ｎｍ、４７０ｎｍ、それぞれの波長ピークの強度比が０．８：３：０．５のものを示している。なお、これら分光感度Ｓｕｖ（λ），Ｓｇ（λ），Ｓｂ（λ）は、対象生物の個体差や生息地域等によって波長範囲、波長のピーク等の分光感度を特徴付けるパラメータを補正しても構わない。
【００２７】
アザミウマ目又はカメムシ目の生物の光受容器の分光感度Ｓｕｖ（λ），Ｓｇ（λ），Ｓｂ（λ）は、例えば、文献（冨永佳也,「昆虫の脳をさぐる」, 共立出版, pp.60-64, 1995）に記載の方法に従って対象生物の網膜全体の分光感度を測定し、文献（Stavenga, et.al., Vision Res. Vol.33, No.8, pp.1011-1017,1993）記載の方法に従って求められる。
【００２８】
これらの光受容器の応答値Ｏｕｖ，Ｏｇ，Ｏｂの割合が、対象生物の色感覚に対応し、応答値の組み合わせ（ベクトル（Ｏｕｖ，Ｏｇ，Ｏｂ））によって色感覚を表記可能である。これら応答値Ｏｕｖ，Ｏｇ，Ｏｂは以下の式（１）乃至式（３）で表される。
Ｏｕｖ＝∫ｖｉｓＳｕｖ（λ）φ（λ）ｄλ （１）
Ｏｇ  ＝∫ｖｉｓＳｇ  （λ）φ（λ）ｄλ （２）
Ｏｂ  ＝∫ｖｉｓＳｂ  （λ）φ（λ）ｄλ （３）
但し、上記式（１）乃至式（３）において、λは波長、φ（λ）は反射面又は透過面からの光の分光分布、ｖｉｓはそれぞれＳｕｖ（λ）＞０，Ｓｇ（λ）＞０，Ｓｂ  （λ）＞０となる波長範囲を示している。
【００２９】
このベクトルの長さ｜Ｏｕｖ，Ｏg，Ｏb｜は、光放射の強度に対応する。 強度を除いた色相及び彩度にあたる相対的な色感覚を表記するためには、ベクトルの向きの成分だけを抽出すれば十分である。そこで、各光受光器に対応する軸をそれぞれＵＶ，Ｇ，Ｂとして、平面ＵＶ＋Ｇ＋Ｂ＝１とベクトル（Ｏｕｖ，Ｏｇ，Ｏｂ）の交点をとることで、相対的な色感覚を表すベクトル（ｇ，ｂ）を得ることができる。以下、ｇ及びｂを、それぞれ第１の評価値及び第２の評価値という。これら評価値は、それぞれ以下の式（４）及び式（５）で表される。
ｇ＝Ｏｇ／（Ｏｕｖ＋Ｏｇ＋Ｏｂ）   （４）
ｂ＝Ｏｂ／（Ｏｕｖ＋Ｏｇ＋Ｏｂ）   （５）
【００３０】
以上のようにして得られたベクトル（ｇ，ｂ）は、分光分布が異なる光による刺激であっても、誘引対象となる生物の光受容器が同じ応答を示せば、同じベクトルを得ることができる。すなわち、誘引対象となる生物の色感覚に対応した表記であると言える。以下、ベクトル（ｇ，ｂ）を色度、色度あらわす座標系を色度図という。
【００３１】
図７は、アザミウマ目又はカメムシ目の色覚に則した色度図を示す。同図においては、４００〜５６０ｎｍの単色光の色度を中抜き四角で示している。また、アザミウマ目又はカメムシ目の生物についてＹ迷路を用いて行動実験を行い、行動実験の結果を補間、補外して得られた誘引率を、その値と共に等高線で示している。なお、同図においては、後述する実施例１乃至実施例１１、並びに、比較例１及び比較例２の色度についても併せて示している。
【００３２】
このような第１の評価値ｇ及び第２の評価値ｂの組み合わせは、紫外線ランプ１１及び反射板１２を形成する材料等の組み合わせを適宜変更することで制御することができる。例えば、紫外線ランプ１１としては、松下電器産業株式会社製のＦＬ２０Ｓ・ＢＡ・３７Ｋや、同ＦＬ２０Ｓ・ＢＬ−Ｂ等を用いることができる。
【００３３】
また、透過膜１５には、光学フィルタ等として用いられている公知の材料を用いることができる。このような材料は特に限定されるものではなく、例えば、ガラスフィルタ（株式会社ケンコー光学製、紫外透過・可視吸収フィルタＵ−３３０等）として用いられている公知の材料や、樹脂フィルタとして用いられている公知の材料を用いることができる。また、上記材料の微粒子（例えば、上記株式会社ケンコー光学製、紫外透過・可視吸収フィルタＵ−３３０を粉砕したもの）をバインダ（フッ素系、シリコン系塗料等）に分散する等して、光透過膜１５を形成するようにしてもよい。また、薄膜による光の干渉を利用して特定の波長領域の光のみを選択的に透過又は反射させる干渉フィルタ等を用いてもよい。この場合、例えば、ＳｉＯ２やＴｉＯ２などの非金属の多層膜や、金属膜と非金属膜とを重ね合せ、膜厚及び屈折率を変えることにより、任意の中心波長に対して任意の半値幅をもつフィルタが得られる。なお、図３に示す分光分布は紫外線ランプ１１として、松下電器産業株式会社製のＦＬ２０Ｓ・ＢＡ・３７Ｋを用いたものであり、図４に示す分光反射率は、反射膜１４としてアルミニウムの蒸着膜を、紫外線透過フィルム１５としてガラスフィルタ（株式会社ケンコー光学製、紫外透過・可視吸収フィルタＵ−３３０）を用いたものである。
【００３４】
上記Ｙ迷路を用いた行動実験は、Ｙ迷路の左右どちらか一方に任意のリファレンス刺激を呈示し、他方に色度図上の各点に対応したテスト刺激を呈示することにより行われる。Ｙ迷路内の刺激を呈示していない枝に検体昆虫を放つと、検体昆虫はテスト刺激、又はリファレンス刺激に誘引され、刺激を呈示した枝に移動する。この際、それぞれの呈示刺激により誘発される走光性の強度に応じて、左右の枝に移動する検体昆虫の数に差が生じる。例えば、リファレンス刺激よりテスト刺激の方がより強い誘引性を引き起こすのであれば、 テスト刺激に多くの検体昆虫が集まる。逆にテスト刺激があまり誘引性を持たない色であれば、テスト刺激に集まる検体昆虫はリファレンス刺激のそれより有意に小さくなる。よって、 様々なテスト刺激についてリファレンス刺激の誘虫数との比率を調べることで、色度図上の各点について誘引率を知ることができる。
【００３５】
本実施形態においては、第１の評価値ｇ及び第２の評価値ｂが、以下の式（６）乃至式（８）のいずれかを満たすように反射面１からの光Ｒ２の分光分布を制御して、アザミウマ目又はカメムシ目の生物に対して高い誘引効果が得られるようにする。なお、式（６）乃至式（８）は、図７において点線で示される直線Ａ，Ｂ，Ｃにそれぞれ対応している。
ｂ≦−０．１８５ｇ＋０．２１３ （６）
ｂ≦−０．３４６ｇ＋０．３０７ （７）
ｂ≧  １．１２５ｇ−０．４９３ （８）
【００３６】
また、より高い誘引効果を得るためには、反射面１からの光Ｒ２の第１の評価値ｇ及び第２の評価値ｂは、同図において一点差線で示される直線Ｄ，Ｅによって規定されるように、以下の式（１４）又は式（１５）を満たすことが好ましい。
ｂ≦−０．１８５ｇ＋０．１９８ （１４）
ｂ≦−０．３４６ｇ＋０．２８３ （１５）
【００３７】
また、更により高い誘引効果を得るためには、反射面１からの光Ｒ２の第１の評価値ｇ及び第２の評価値ｂは、同図において二点差線で示される直線Ｆ，Ｇによって規定されるように、以下の式（１６）又は式（１７）を満たすことがより好ましい。
ｂ≦−０．１８５ｇ＋０．１６８ （１６）
ｂ≦−０．３４６ｇ＋０．２３７ （１７）
【００３８】
本実施形態の捕虫用照明器具１０によれば、反射面１からの光Ｒ２を、誘引対象であるアザミウマ目又はカメムシ目の生物の複眼内の光受容器の分光感度に基づいて算出された第１の評価値ｇ及び第２の評価値ｂで評価するようにしたので、反射面１からの光Ｒ２の分光分布を、アザミウマ目又はカメムシ目の生物の色覚に則して制御することができ、高い誘引効果が得られるように最適化することができる。このため、人間とアザミウマ目又はカメムシ目との色覚の相違によらず、アザミウマ目又はカメムシ目の生物に対して高い誘引効果が得られる光を確実に得ることができる。
【００３９】
また、光源が紫外線ランプ（人工光源）１１であるので、夜間や水中のような自然光源を利用しにくい環境であっても、アザミウマ目又はカメムシ目の誘引を効率よく行うことができる。また、反射面１が、光源と共に捕虫用照明器具を構成するので、システムの小型化を図ることができる。
【００４０】
次に、本発明の第２の実施形態に係る生物誘引システムについて図８及び図９を参照して説明する。本実施形態は、誘引対象となる生物がハエ目の生物である点で上記第１の実施形態と異なる。本実施形態の生物誘引システムは、ハエ目の生物を誘引するための捕虫用照明器具１０であり、図１及び図２に示される第１の実施形態と同様、人工光源となる紫外線ランプ１１と、紫外線ランプ１１に対向するように配置された反射板１２とを備えており、反射板１２は、基材１３と、反射膜１４と、透過膜１５とを有している。
【００４１】
本実施形態では、対象生物となるハエ目の生物の色覚メカニズムを考慮して、反射面１からの光Ｒ２の分光分布を、ハエ目の生物に対して高い誘引効果が得られるように最適化する。なお、誘引対象となるハエ目には、これに属する全ての科が含まれる。
【００４２】
本実施形態で対象とするハエ目の生物は、複眼内に、紫外線光受容器、青色光受容器、及び緑色光受容器を備えており、これら３つの光受光器は、図８に例示されるような分光感度Ｓｕｖ（λ），Ｓｇ（λ），Ｓｂ（λ）をそれぞれ有している。同図は、３つの分光感度Ｓｕｖ（λ），Ｓｇ（λ），Ｓｂ（λ）について、それぞれの波長範囲が２５０〜４５０ｎｍ、３００〜６００ｎｍ、３００〜５５０ｎｍ、それぞれの波長のピークが３５０ｎｍ、５００ｎｍ、４６５ｎｍ、それぞれの波長ピークの強度比が、０．８：６：２．５のものを示している。なお、個体差や生息地域等によって波長範囲、波長のピーク等の分光感度を特徴付けるパラメータを補正しても構わない。
【００４３】
ハエ目の生物の光受容器の分光感度Ｓｕｖ（λ），Ｓｇ（λ），Ｓｂ（λ）は、例えば、文献（冨永佳也,「昆虫の脳をさぐる」, 共立出版, pp.60-64, 1995）に記載の方法に従って、対象生物の網膜全体の分光感度を測定し、文献（Stavenga, et.al., Vision Res. Vol.33, No.8, pp.1011-1017,1993）記載の方法に従って求められる。
【００４４】
図９は、ハエ目の色覚に則した色度図を示す。同図においては、３８０〜５００ｎｍの単色光の色度を中抜き四角で示している。また、ハエ目の生物について上記行動実験を行い、行動実験の結果を補間、補外して得られた誘引率を、その値と共に等高線で示している。なお、同図においては、後述する実施例１２乃至実施例２１、並びに、比較例３及び比較例４の色度についても併せて示している。
【００４５】
本実施形態においては、紫外線ランプ１１及び反射板１２を形成する材料等の組み合わせを適宜変更することにより、上記式（１）乃至式（５）により表される第１の評価値ｇ及び第２の評価値ｂが、以下の式（９）乃至式（１３）の全てを満たすように、反射面１からの光Ｒ２の分光分布を制御して、ハエ目の生物に対して高い誘引効果が得られるようにする。なお、式（９）乃至式（１３）は、図９において点線で示される直線Ｈ，Ｉ，Ｊ，Ｋ，Ｌにそれぞれ対応している。
ｂ≦−０．９１６２ｇ＋０．８１０９ （９）
ｂ≦  ０．２７３６ｇ＋０．２２５７ （１０）
ｂ≦  ０．１９９６ｇ＋０．２５８２ （１１）
ｂ≦  １．１９８８ｇ−０．１３４０ （１２）
ｂ≧  ０．２９３４ｇ＋０．１７５８ （１３）
【００４６】
また、より高い誘引効果を得るためには、反射面１からの光Ｒ２の第１の評価値ｇ及び第２の評価値ｂは、同図において一点鎖線で示される直線Ｍ，Ｎ，Ｏ，Ｐ，Ｑによって規定されるように、以下の式（１８）乃至式（２２）の全てを満たすことが好ましい。
ｂ≦−０．９１６２ｇ＋０．７６８５ （１８）
ｂ≦  ０．１５６５ｇ＋０．２６０１ （１９）
ｂ≦  ０．１２４７ｇ＋０．２７４９ （２０）
ｂ≦  ２．９０５０ｇ−０．９９２５ （２１）
ｂ≧  ０．３０７０ｇ＋０．１８３７ （２２）
【００４７】
本実施形態の捕虫用照明器具１０によれば、反射面１からの光Ｒ２を、誘引対象であるハエ目の生物の複眼内の光受容器の分光感度に基づいて算出された第１の評価値ｇ及び第２の評価値ｂで評価するようにしたので、反射面１からの光Ｒ２の分光分布を、ハエ目の生物の色覚に則して制御することができ、高い誘引効果が得られるように最適化することができる。このため、人間とハエ目との色覚の相違によらず、ハエ目の生物に対して高い誘引効果が得られる光を確実に得ることができる。
【００４８】
次に、本発明の第３の実施形態に係る生物誘引システムについて図１０及び図１１を参照して説明する。本実施形態に係る生物誘引システムは、農場や工場等で発生予察の目的等で用いられる捕虫用粘着シート２０である。図１１に示されるように、捕虫用粘着シート２０は、アルミ板２１と、このアルミ板２１の両面に張り合わされた紫外線透過ガラス２２と、これら紫外線透過ガラス２２の表面に張り合わされた紫外線透過性の粘着フィルム２３とを備えている。本実施形態において、粘着フィルム２３の表面が反射面１に相当する。ただし厳密には、太陽（自然光源）からの光Ｒ１は、粘着フィルム２３の表面を透過してアルミ板２１で反射され、さらに粘着フィルム２３の表面を透過してから出射される。
【００４９】
本実施形態においては、紫外線透過ガラス２２及び／又は粘着フィルム２３を形成する材料等を適宜変更することにより、第１の評価値ｇと第２の評価値ｂが、上記式（６）乃至式（８）のいずれか、式（１４）若しくは式（１５）、又は、式（１６）若しくは式（１７）を満たすようにして、反射面１からの光Ｒ２の分光分布を、アザミウマ目又はカメムシ目の生物に対して高い誘引効果が得られるように最適化する。または、第１の評価値ｇと第２の評価値ｂが、上記式（９）乃至式（１３）の全て、又は、式（１８）乃至式（２２）の全てを満たすようにして、反射面１からの光Ｒ２の分光分布を、ハエ目の生物に対して高い誘引効果が得られるように最適化する。紫外線透過ガラス２２及び粘着フィルム２３を形成する材料としては、上述した光学フィルタ等として用いられている公知の材料を用いることができる。
【００５０】
本実施形態の捕虫用粘着シート２０によっても、人間とアザミウマ目、カメムシ目、又はハエ目との色覚の相違によらず、アザミウマ目、カメムシ目又はハエ目の生物に対して高い誘引効果が得られる光を確実に得ることができる。また、反射面１が粘着性を有するので、誘引した生物を確実に捕獲することができる。このため、例えば、発生予察において、対象となる生物の発生を早期に検出することができる。
【００５１】
次に、本発明の第４の実施形態に係る生物誘引システムについて図１２を参照して説明する。本実施形態の生物誘引システムは、誘引したアザミウマ目、カメムシ目又はハエ目の生物を、高電圧のかかった電撃格子３３で殺虫する電撃殺虫器３０であり、人工光源となる白色蛍光ランプ３１と、紫外線透過樹脂からなる筐体３２とを備えている。筐体３２の表面には塗装が施されている。この筐体３２の塗面が透過面に相当する。
【００５２】
本実施形態においては、筐体３２を形成する材料及び／又は筐体３２に塗られた塗料を適宜変更することにより、第１の評価値ｇと第２の評価値ｂが、上記式（６）乃至式（８）のいずれか、式（１４）若しくは式（１５）、又は式（１６）若しくは式（１７）を満たすようにして、透過面からの光の分光分布を、アザミウマ目又はカメムシ目の生物に対して高い誘引効果が得られるように最適化する。または、第１の評価値ｇと第２の評価値ｂが、上記式（９）乃至式（１３）の全て、又は、式（１８）乃至式（２２）の全てを満たすようにして、透過面からの光の分光分布を、ハエ目の生物に対して高い誘引効果が得られるように最適化する。筐体３２を形成する材料としては、上述した光学フィルタ等として用いられている公知の材料を用いることができ、塗料としては、上述した光学フィルタ等として用いられている公知の材料の微粒子をバインダ（フッ素系、シリコン系塗料等）に分散したもの等を用いることができる。
【００５３】
本実施形態の電撃殺虫器３０によっても、人間とアザミウマ目、カメムシ目、又はハエ目との色覚の相違によらず、アザミウマ目、カメムシ目又はハエ目の生物に対して高い誘引効果が得られる光を確実に得ることができ、誘引した生物を電撃格子３３で確実に殺傷することができる。
【００５４】
上記第１の実施形態乃至第４の実施形態に係る生物誘引システムを用いて行う生物誘引方法によれば、反射面及び／又は透過面からの光の分光分布を、アザミウマ目、カメムシ目、又はハエ目の色覚に則して制御することができ、高い誘引効果が得られるように最適化することができるので、アザミウマ目、カメムシ目、又はハエ目の生物の誘引を効率よく行うことができる。
【００５５】
なお、本発明は上記各種実施形態の構成に限られることなく種々の変形が可能である。例えば、図１３に示されるように、ビニルハウスＨ等に設置される投光器４１と粘着式大型反射板４２等により生物誘引システムを構成してもよい。また、第１の実施形態及び第２の実施形態の反射板１２の透過膜１５の表面に紫外線透過性の粘着フィルムを積層するようにしてもよい。
【００５６】
（実施例及び比較例）
以下、上記実施形態をより具体化した実施例について説明する。実施例及び比較例には、紫外線ランプと、紫外線ランプに対向するように配置された反射板とを備える捕虫用照明器具を用いた。反射板は、アクリル樹脂により形成された基材に、アルミニウムを蒸着し、その表面に紫外線透過フィルムを積層し、更に紫外線透過フィルムの表面に透光性の粘着フィルムを積層して形成した。紫外線ランプ及び反射板を形成する材料の組み合わせを適宜変更することで、表１及び表２に示される各実施例及び各比較例の第１の評価値ｇ及び第２の評価値ｂの組み合わせを得た。
【表１】
0004725209.tif 000002
【表２】
0004725209.tif 000003
【００５７】
表１に示される実施例１乃至実施例１１、並びに、比較例１及び比較例２は、アザミウマ目の生物について実施したものであり、第１の評価値ｇ及び第２の評価値ｂの組み合わせと共に、誘引効果の評価結果を示している。なお、図７において、実施例１乃至実施例５を黒三角で、実施例６乃至実施例８を黒四角で、実施例９乃至実施例１１を黒丸で、比較例１及び比較例２を×印で示している。
【００５８】
表２に示される実施例１２乃至実施例２１、並びに、比較例３及び比較例４は、ハエ目の生物について実施したものであり、第１の評価値ｇ及び第２の評価値ｂの組み合わせと共に、誘引効果の評価結果を示している。なお、図９において、実施例１２乃至実施例１６を黒三角で、実施例１７乃至実施例２１を黒丸で、比較例３及び比較例４を×印で示している。
【００５９】
誘引効果は、検体昆虫を用いた行動実験により評価を行った。具体的には、アザミウマ目の生物については、暗室内に各実施例に係る捕虫用照明器具と比較例１に係る捕虫用照明器具を並べて設置し、粘着フィルムに捕虫された虫の個体数の割合(比較例１と各実施例に捕虫された合計数を１００％とする)を測定することで評価を行った。なお、比較例１については、実施例と同一条件下で、比較例１に係る捕虫用照明器具を２つ並べて設置して評価を行い、比較例２については、実施例と同一条件下で、比較例２に係る捕虫用照明器具と比較例１に係る捕虫用照明器具を並べて設置して評価を行った。
【００６０】
また、ハエ目の生物については、暗室内に各実施例に係る捕虫用照明器具と比較例３に係る捕虫用照明器具を並べて設置し、粘着フィルムに捕虫された虫の個体数の割合(比較例３と各実施例に捕虫された合計数を１００％とする)を測定することで評価を行った。なお、比較例３については、実施例と同一条件下で、比較例３に係る捕虫用照明器具を２つ並べて設置して評価を行い、比較例４については、実施例と同一条件下で、比較例４に係る捕虫用照明器具と比較例３に係る捕虫用照明器具を並べて設置して評価を行った。
【００６１】
表１の結果から、第１の評価値ｇと第２の評価値ｂが式（６）乃至式（８）のいずれかを満たすとき、式（６）乃至式（８）のいずれも満たさない比較例１に比べて、アザミウマ目の生物に対して高い誘引効果が得られることが分かる。また、第１の評価値ｇと第２の評価値ｂが式（１４）又は式（１５）を満たすとき、より高い誘引効果が得られ、更に、第１の評価値ｇと第２の評価値ｂが式（１６）又は式（１７）を満たすとき、更に高いに誘引効果が得られることが分かる。
【００６２】
また、表２の結果から、第１の評価値ｇと第２の評価値ｂが式（９）乃至式（１３）の全てを満たすとき、比較例３に比べて、ハエ目の生物に対して高い誘引効果が得られることが分かる。また、第１の評価値ｇと第２の評価値ｂが式（１８）乃至式（２２）を満たすとき、より高い誘引効果が得られることが分かる。
【図面の簡単な説明】
【００６３】
【図１】本発明の第１の実施形態に係る生物誘引システム（捕虫用照明器具）の斜視図。
【図２】同捕虫用照明器具の反射板の断面図。
【図３】同捕虫用照明器具の紫外線ランプの分光分布を示す図。
【図４】同捕虫用照明器具の反射板の分光反射率を示す図。
【図５】同反射板からの光の分光分布を示す図。
【図６】アザミウマ目又はカメムシ目の生物の複眼内の光受容器の分光感度を示す図。
【図７】アザミウマ目又はカメムシ目の生物の色覚に則した色度図。
【図８】ハエ目の生物の複眼内の光受容器の分光感度を示す図。
【図９】ハエ目の生物の色覚に則した色度図。
【図１０】本発明の第３の実施形態に係る生物誘引システム（捕虫用粘着シート）の斜視図。
【図１１】同捕虫用粘着シートの断面図。
【図１２】本発明の第４の実施形態に係る生物誘引システム（電撃殺虫器）の斜視図。
【図１３】本発明の変形例に係る生物誘引システムの概略図。
【符号の説明】
【００６４】
１    反射面
１０  捕虫用照明器具（生物誘引システム）
２０  捕虫用粘着シート（生物誘引システム）
３０  電撃殺虫器（生物誘引システム）
【図１】
0004725209.tif 000004
【図２】
0004725209.tif 000005
【図３】
0004725209.tif 000006
【図４】
0004725209.tif 000007
【図５】
0004725209.tif 000008
【図６】
0004725209.tif 000009
【図７】
0004725209.tif 000010
【図８】
0004725209.tif 000011
【図９】
0004725209.tif 000012
【図１０】
0004725209.tif 000013
【図１１】
0004725209.tif 000014
【図１２】
0004725209.tif 000015
【図１３】
0004725209.tif 000016